(57)【要約】【課題】  既存の設備に対して大幅な変更を加えることなく、低コストで統制機能付半固定無線機を複数台とすることができ、これら無線機の替運用によるシステム機能の向上を図ることができる技術を提供する。【解決手段】  統制機能付半固定無線機７Ａ、７Ｂは、基地局無線装置５と統制局設備４の間の回線の切断、または統制局設備４の故障、損壊等により基地局無線設備６が単独動作状態になった折返通信状態時において、基地局無線装置５からの報知により統制機能使用状態となる第１の半固定無線機７Ａと、第１の半固定無線機７Ａに所定のショートメッセージを発信し、発信後に第１の半固定無線機７Ａに代わり統制機能使用状態となるとともに、第１の半固定無線機７Ａの統制機能使用状態を終了させる第２の半固定無線機７Ｂとを備える。【選択図】  図１
2011087093.tif 000002
【特許請求の範囲】
【請求項１】
移動局設備と通信を行うことができる基地局無線装置と、前記基地局無線装置の通信エリアに設置され、統制局設備の構成装置である統制台の代行運用が可能な機能を持つ複数の半固定無線装置とを備えたデジタル移動系通信システムであって、
前記半固定無線装置は、基地局無線設備が単独動作状態になった折返通信状態時において、前記基地局無線装置からの報知により統制機能使用状態となる第１の半固定無線装置と、
前記第１の半固定無線装置に所定のショートメッセージを発信し、発信後に前記第１の半固定無線装置に代わり統制機能使用状態となるとともに、前記第１の半固定無線装置の前記統制機能使用状態を終了させる第２の半固定無線装置とを備えるデジタル移動系通信システム。
【発明の詳細な説明】
【技術分野】
【０００１】
本発明は、デジタル移動通信システムに係り、特に、複数台の統制機能付半固定無線機を簡易な操作で切り替えるための方式に関するものである。
【背景技術】
【０００２】
従来のデジタル移動通信システムが適用される例えば防災無線システムでは、統制機能付半固定局は、１基地局設備に対して１局しか設けられていない。つまり、統制機能付半固定局として、複数を切替運用して用いるという概念は存在していなかった。しかし、防災緊急時などにおいては、複数局が切替運用することが信頼性、緊急時の対応の迅速性などから望まれる。なお、デジタル移動通信システムの関連技術として、下記特許文献が知られている。
【先行技術文献】
【特許文献】
【０００３】
【特許文献１】特開２００７−６７５６２号公報
【発明の概要】
【発明が解決しようとする課題】
【０００４】
ところで、従来の技術に代わり、１基地局に複数台数の統制機能付半固定無線機を切替運用させるために、従来技術で知られているように、基地局無線装置で半固定無線装置の状態を管理するようにする場合、これは防災時等、折返通信運用という稀な状態でのみ必要となるのに対して、統制機能付半固定無線機の機能を有効するために、大幅なソフトウェア負荷がかかるものとなる。従って、既設システムへの対応も困難であると思われていた。また、ソフトウェア負荷の増加は、故障率の増加、コスト増加にもつながることとなる。
【０００５】
例えば、図７は、実施の形態で後述する一般的なデジタル移動通信システムを示す系統図である、図８は従来より行われている図７のシステム系統に基づいて、統制機能付半固定無線機の統制機能が使用可能となる状態を示す系統図である。図７においては、統制台１、統制台制御装置２及び統制局制御装置３が設置された統制局設備４と、基地局無線装置５を備えた基地局無線設備６と、基地局無線装置５との間で無線通信を行う統制機能付半固定無線機７とが備えられている。この場合、統制局設備４と基地局無線装置５の間の回線の切断、または統制局設備４の故障、損壊等により基地局無線設備６が単独動作（折返通信）になったとき、従来のシステムでは、１システム内（折返通信運用の場合には当該基地局傘下をシステムとする）に１台しか通信統制機能を持つ無線局（統制機能付半固定無線機７）が存続できないため、切替運用は必須である。
【０００６】
従来のシステムでは、基地局無線装置５と統制局制御装置３の接続が遮断されると、基地局無線装置５の報知信号が「折返通信」を発信する運用状態（以下、折返通信状態という）となる。統制機能付半固定無線機７は、報知信号の「折返通信」を受信すると、統制機能が使用可能となり、被呼番号が「１００」となる。ただし、この場合の被呼番号は基地局無線装置５内で読み換えるように予め設定されている。
【０００７】
図８に示される折返通信状態における統制機能付半固定無線機７の呼出番号の遷移によれば、他局８から統制台「呼出番号１００」を呼び出すと、折返通信状態の基地局無線装置５は、その呼出番号を「移動局番号ＡＡＡ」に変換呼出する。
【０００８】
図９は図８の状態で、例えば、統制機能付半固定無線機７Ａ,７Ｂの２台切替運用を実現させようとした場合の遷移を示す図であり、呼出番号「ＡＡＡ」の統制機能付半固定無線機を７Ａ（正）、同じく呼出番号「ＢＢＢ」の統制機能付半固定無線機７Ｂを（副）と規定し、択一で運用しようとすると、基地局無線装置５では、まず、一つ目として、正、副の稼働状態を管理すること、次に二つ目として、統制機能使用可能状態とした逆側の無線機の統制機能を抑制すること、さらに三つ目として、各状態による呼出番号の変換管理等、多くの演算、判定を行う必要が生じる。さらに、四つ目として、統制機能付半固定無線機の台数が増えると、ソフトウェアの負荷が増加する。
【０００９】
このように、１基地局に複数台数の統制機能付半固定無線機を切替運用させるために、従来技術を援用して、基地局無線装置で半固定無線装置の状態を管理するようにする場合、基地局無線装置側において、大幅な設備等の増設、変更が生じることとなる。
【００１０】
本発明は、既存の設備に対して大幅な変更を加えることなく、低コストで統制機能付半固定無線機を複数台とすることが可能となるデジタル移動通信システムを提供することを目的とする。
【課題を解決するための手段】
【００１１】
上述した課題を解決するため、本発明は、移動局設備と通信を行うことができる基地局無線装置と、前記基地局無線装置の通信エリアに設置され、統制局設備の構成装置である統制台の代行運用が可能な機能を持つ複数の半固定無線装置とを備えたデジタル移動系通信システムであって、前記半固定無線装置は、前記基地局無線装置と統制局設備の間の回線の切断、または統制局設備の故障、損壊等により基地局無線設備が単独動作状態になった折返通信状態時において、前記基地局無線装置からの報知により統制機能使用状態となる第１の半固定無線装置と、前記第１の半固定無線装置に所定のショートメッセージを発信し、発信後に前記第１の半固定無線装置に代わり統制機能使用状態となるとともに、前記第１の半固定無線装置の前記統制機能使用状態を終了させる第２の半固定無線装置とを備える。
【発明の効果】
【００１２】
以上のように、本発明によれば、既存の設備に対して大幅な変更を加えることなく、低コストで統制機能付半固定無線機を複数台とすることができ、これら無線機の替運用によるシステム機能の向上を行うことができ、利便性、拡張性に優れたデジタル移動通信システムを提供することができる。
【図面の簡単な説明】
【００１３】
【図１】本発明の実施の形態のデジタル移動通信システムにおける統制機能付半固定無線機のシステム系統図である。
【図２】実施の形態のデジタル移動通信システムにおける移動局（他局）から統制台を呼出す動作を示す図である。
【図３】実施の形態のデジタル移動通信システムにおける切替方式の状態遷移を示す図である。
【図４】「ＡＡＡ」局の主要動作を示すフローチャートである。
【図５】「ＢＢＢ」局の主要動作を示すフローチャートである。
【図６】基地局無線装置の主要動作を示すフローチャートである。
【図７】一般的なデジタル移動通信システムを示す系統図である。
【図８】従来のデジタル移動通信システムの「折返通信」状態における統制機能付半固定無線機の呼出番号遷移状態を示す図である。
【図９】従来技術を援用して、統制機能付半固定無線機を複数台切替使用しようとする場合の基地局無線装置の動作を示す図である。
【発明を実施するための形態】
【００１４】
以下、本発明の実施の形態を説明する。図１は本発明のシステムの全体構成を示すブロック図である。
【００１５】
図１について詳述すると、統制台１、統制台制御装置２及び統制局制御装置３が設置された統制局設備４と、基地局無線装置５を備えた基地局無線設備６と、基地局無線装置５との間で無線通信を行う統制機能付半固定無線機（半固定無線装置）７Ａ，７Ｂとが備えられている。この場合、統制局設備４と基地局無線装置５の間の回線の切断、または統制局設備４の故障、損壊等により基地局無線装置５と統制局制御装置３との接続が遮断されると、基地局無線設備６とその傘下の無線機間が通信できる単独動作（折返通信）となる。本実施の形態では、「折返通信」状態の呼出番号の変換は半固定無線機側で行い、基地局無線機での番号変換は行わない。
【００１６】
図２に示すように、統制機能付半固定無線機７Ａは「折返通信」の報知受信で第２呼出番号として「１００」の被呼の機能を持つ。ただし、複数台の統制機能付半固定無線機７Ａ,７Ｂでの切替運用を行う場合には、あらかじめ（正：第１）（副：第２）を設定しておく。図２では「折返通信」の報知受信時の初期状態（通常使用状態）では呼出番号が「ＡＡＡ」である統制機能付半固定無線機（以下単に「ＡＡＡ」局という）７Ａが（正）、呼出番号が「ＢＢＢ」である統制機能付半固定無線機（以下単に「ＢＢＢ」局という）７Ｂが（副）となり、報知受信の初期においては、（正）の局の呼出番号が「１００」となる。
【００１７】
図３において（副）である呼出番号「ＢＢＢ」局の統制機能付半固定無線機７Ｂが統制機能を使用し呼出番号「１００」として運用状態（統制機能使用状態）となりたい場合は、呼出番号「１００」の統制機能使用中の統制機能付半固定無線機７Ａに対し、「緊急」ショートメッセージを発信し、「送信完了」をもって、呼出番号「１００」となり統制機能使用可能となる。
【００１８】
統制機能使用状態である呼出番号「１００」として運用中の「ＡＡＡ」局は「ＢＢＢ」局からの「緊急」ショートメッセージの受付けで、統制機能使用状態から脱却し、呼出番号「ＡＡＡ」である通常の半固定無線機となる。ただし、呼出番号「１００」として運用中の「ＡＡＡ」局が他局との通信中は、「緊急」受信ができないため、「ＢＢＢ」局の「緊急」発信時は、「１００」（「ＡＡＡ」局）の通話モニタを行い、通話中でないことを確認の上、発信を行うようにすることができる。これは、自動または手動で行うようにする。
【００１９】
図４は、「ＡＡＡ」局の主要動作を示すフローチャートである。呼出番号「ＡＡＡ」として運用中である通常運用時に（Ｓ１）、基地局無線装置５から「折返通信」の報知受信があると（Ｓ２,Ｙ）、統制機能を使用状態とし、呼出番号「１００」の運用状態となる（Ｓ３）。この運用状態において、「ＢＢＢ」局から所定のショートメッセージを受信すると（Ｓ４,Ｙ）、統制機能使用状態から脱却し、呼出番号「ＡＡＡ」である通常運用状態の半固定無線機となる（Ｓ１）。
【００２０】
図５は、「ＢＢＢ」局の主要動作を示すフローチャートである。呼出番号「ＢＢＢ」として運用中である通常運用時に（Ｓ１１）、呼出番号「１００」の統制機能使用局（「ＡＡＡ」局）にショートメッセージの送信があった場合は（Ｓ１２、Ｙ）、統制機能を使用状態とし、呼出番号「１００」の運用状態となる（Ｓ１３）。なお、統制機能の使用状態から脱却する場合は、図４に示したステップＳ４の動作である「ＡＡＡ」局において「ＢＢＢ」局からショートメッセージを受信した場合と同様である（Ｓ１４,Ｙ）。
【００２１】
図６は、基地局無線装置の主要動作を示すフローチャートである。本実施の形態においては、通常運用状態（Ｓ２１）から「折返通信」の運用状態となると（Ｓ２２,Ｙ）、（正）の局である「ＡＡＡ」局に「折返通信」の報知送信を行う（Ｓ２３）。これが「折返通信」の運用状態が終了するまで継続される（Ｓ２４、Ｙ）。
【００２２】
本方式により、統制機能付半固定無線機の複数切替運用が必要な場合でも基地局無線装置にソフトウェア負荷を装荷することなく、切替が可能となる。すなわち、切替動作を行うための手段として、従来技術であるショートメッセージの授受を使用することで、複数台の統制機能付無線機の各々の状態を区分し、択一の切替運用を行うための方式を提供することができる。
【００２３】
また、移動局無線装置間でショートメッセージのやり取りを行うことで切替運用を実現することにより、基地局無線装置に大幅な変更を行うことなく、かつ、既設システムに対し、半固定無線局の増設のみ統制機能付半固定の複数台数増設が可能となるようなシステム拡張を可能とすることができる。
【符号の説明】
【００２４】
１  統制台、２  統制台制御装置、３  統制局制御装置、４  統制局設備、５  基地局無線装置、６  基地局無線設備、７Ａ，７Ｂ  統制機能付半固定無線機、８  他局。
【図１】
2011087093.tif 000003
【図２】
2011087093.tif 000004
【図３】
2011087093.tif 000005
【図４】
2011087093.tif 000006
【図５】
2011087093.tif 000007
【図６】
2011087093.tif 000008
【図７】
2011087093.tif 000009
【図８】
2011087093.tif 000010
【図９】
2011087093.tif 000011